(57)【要約】【課題】異なる形状の複数種類の設置部に対して強固に取り付けることができる釣竿受用固定具を提供する。【解決手段】釣竿受用固定具は、上端部に釣り竿受け１が取り付けられる取付部材４と、取付部材４の下端部に取り付けられた挟持部材５とを備える。挟持部材５は、固定部６と、固定部６に対して接離方向に移動可能な可動部８とを有する。挟持部材５は、固定部６と可動部８とで設置部２を挟持可能に構成される。挟持部材５は、取付部材４に対し、接離方向が上下方向に直交した平面上に位置する第１の姿勢と、接離方向が上下方向となる第２の姿勢とに変更可能に構成されている。【選択図】図１
2017184658.tif 000002
【特許請求の範囲】
【請求項１】
釣り竿受けを設置部に固定するための釣竿受用固定具であって、
上端部に前記釣り竿受けが取り付けられる取付部材と、
前記取付部材の下端部に取り付けられた挟持部材と
を備え、
前記挟持部材は、
固定部と、
前記固定部に対して接離方向に移動可能な可動部と
を有すると共に、前記固定部と前記可動部とで前記設置部を挟持可能に構成されており、
前記挟持部材は、前記取付部材に対し、前記接離方向が上下方向に直交した平面上に位置する第１の姿勢と、前記接離方向が上下方向となる第２の姿勢とに変更可能に構成されている
ことを特徴とする釣竿受用固定具。
【請求項２】
前記取付部材は、
前記挟持部材が取り付けられる基体と、
上端部に前記釣り竿受けが取り付けられるように構成され、前記基体に対して上下方向にスライド移動可能に構成された移動体と
を有している
ことを特徴とする請求項１記載の釣竿受用固定具。
【請求項３】
前記挟持部材は、
前記固定部に間隔をおいて対向する基台部と、
前記基台部に螺合されて前記固定部に対して接離方向に移動可能に構成された、前記可動部としてのねじ込みボルトと、
前記固定部と前記基台部とを連結する連結部と
を有し、
前記連結部は、前記基台部を接離方向に位置変更可能とするように構成されている
ことを特徴とする請求項１または請求項２に記載の釣竿受用固定具。
【請求項４】
前記取付部材は、前記釣り竿受けが取り付けられる部分が、前記挟持部材に対して上下軸回りに回転可能に構成されている
ことを特徴とする請求項１〜３のいずれか一項に記載の釣竿受用固定具。
【発明の詳細な説明】
【技術分野】
【０００１】
本発明は、釣竿受用固定具に関する。
【背景技術】
【０００２】
特許文献１には従来の釣竿受用固定具が開示されている。この従来の釣竿受用固定具は、箱状の本体と、本体から下方に突出したねじ部とで構成されている。釣竿受用固定具は、ユーザーが本体を把持しながら、例えば、筏にねじ込むことで、当該筏に取り付けられる。
【０００３】
ユーザーは、筏に取り付けられた釣竿受用固定具を、釣り竿受けによって挟み込むことで、釣り竿受けを筏上に固定することができる。すなわち、ユーザーは、釣り竿受けで挟む部分のない筏においても、釣竿受用固定具を簡単に設置した上で、釣り竿受けを装着することができ、当該釣り竿受けに釣り竿を保持させることができる。
【先行技術文献】
【特許文献】
【０００４】
【特許文献１】特開２０１５−１８８４４６号公報
【発明の概要】
【発明が解決しようとする課題】
【０００５】
しかしながら、この従来の釣竿受用固定具は、筏にねじ込んで固定するものであるため、筏がもろい場合には、強固に固定できないという問題がある。
【０００６】
一方、従来の釣竿受用固定具を利用せず、挟持部を有する釣り竿受けを利用し、挟持部で筏の縁部を挟んで固定することが考えられる。しかしながら、市販されている釣り竿受けを、筏の縁部を挟むことで固定しようとしても、縁部の形状が筏ごとに異なるため、利用する筏によっては取り付けることができない場合がある。
【０００７】
本発明は、上記事情に鑑みてなされたものであり、その目的とするところは、異なる形状の複数種類の設置部に対して強固に取り付けることができる釣竿受用固定具を提供することにある。
【課題を解決するための手段】
【０００８】
本発明の釣竿受用固定具は、釣り竿受けを設置部に固定するための釣竿受用固定具であって、上端部に前記釣り竿受けが取り付けられる取付部材と、前記取付部材の下端部に取り付けられた挟持部材とを備え、前記挟持部材は、固定部と、前記固定部に対して接離方向に移動可能な可動部とを有すると共に、前記固定部と前記可動部とで前記設置部を挟持可能に構成されており、前記挟持部材は、前記取付部材に対し、前記接離方向が上下方向に直交した平面上に位置する第１の姿勢と、前記接離方向が上下方向となる第２の姿勢とに変更可能に構成されていることを特徴とする。
【０００９】
またこの釣竿受用固定具において、前記取付部材は、前記挟持部材が取り付けられる基体と、上端部に前記釣り竿受けが取り付けられるように構成され、前記基体に対して上下方向にスライド移動可能に構成された移動体とを有していることが好ましい。
【００１０】
またこの釣竿受用固定具において、前記挟持部材は、前記固定部に間隔をおいて対向する基台部と、前記基台部に螺合されて前記固定部に対して接離方向に移動可能に構成された、前記可動部としてのねじ込みボルトと、前記固定部と前記基台部とを連結する連結部とを有し、前記連結部は、前記基台部を接離方向に位置変更可能とするように構成されていることが好ましい。
【００１１】
またこの釣竿受用固定具において、前記取付部材は、前記釣り竿受けが取り付けられる部分が、前記挟持部材に対して上下軸回りに回転可能に構成されていることが好ましい。
【発明の効果】
【００１２】
本発明の釣竿受用固定具によれば、異なる形状の複数種類の設置部に対して強固に取り付けることができる。
【図面の簡単な説明】
【００１３】
【図１】本発明の一実施形態の釣竿受用固定具に釣り竿受けを設置した状態の斜視図である。
【図２】同上の釣竿受用固定具の斜視図である。
【図３】図３Ａは、同上の第１の姿勢の竿受け用固定具の縦断面図である。図３Ｂは、同上の第２の姿勢の竿受け用固定具の縦断面図である。
【図４】図４Ａは、同上の第１の姿勢の竿受け用固定具の使用状態の側面図である。図４Ｂは、同上の第２の姿勢の竿受け用固定具の使用状態の要部側面図である。
【発明を実施するための形態】
【００１４】
以下、本発明の実施形態について添付図面に基づいて説明する。
【００１５】
本実施形態の釣竿受用固定具３は、釣り竿受け１を筏などの設置部２に固定するために用いられる。釣り竿受け１は、図１に示すように、釣り竿１１を保持する。釣り竿受け１に釣り竿１１が保持されると、ユーザーは釣り竿１１を手で把持しなくても、当該釣り竿１１を設置部２に保持させておくことができる。なお、釣り竿受け１は、市販されている周知の構造の釣り竿受け１を使用するため、詳細な説明は省略する。
【００１６】
設置部２は、釣竿受用固定具３を設置する部分である。設置部２としては、例えば、筏の縁部、釣り堀の足場，手摺りなどの釣り場の周囲において、釣り竿１１を保持しておくことが望まれる箇所が例示される。
【００１７】
釣竿受用固定具３は、図２に示すように、取付部材４と、挟持部材５とを備えている。釣竿受用固定具３は、金属製であり、例えば、ステンレス鋼により構成される。
【００１８】
取付部材４は、釣り竿受け１が取り付けられる部分である。取付部材４は、上下方向に延びている。本実施形態の取付部材４は、基体４１と、基体４１に対して上下方向にスライド移動可能な移動体４２とを備えており、移動体４２が上下方向に移動することで、取付部材４は伸縮可能に構成される。
【００１９】
基体４１は、挟持部材５が取り付けられる部分である。基体４１は、上下方向に延びている。基体４１は、ウェブ４１１と、ウェブ４１１の幅方向の両側から突出した一対のフランジ４１２と、各フランジ４１２の先端から延出した一対のリップ４１３とで構成されており、いわゆるリップ溝形鋼により構成されている。本実施形態の基体４１は、例えば、金属板をプレス加工することで形成されている。
【００２０】
移動体４２は、移動体本体４２１と、移動体本体４２１の上端部に取り付けられた取付部４３とを備えている。移動体本体４２１は、基体４１の内部に挿通されている。移動体本体４２１は上下方向に延びている。移動体本体４２１は、基体４１に対し、基体４１の長さ方向にスライド移動可能に挿通される。移動体本体４２１は、ウェブ４２２と、一対のフランジ４２３と、一対のリップ４２４と、天板４２６とで構成されている。図２に示すように、移動体本体４２１のウェブ４２２が基体４１のリップ４１３に、移動体本体４２１の各フランジ４２３が基体４１の対応するフランジ４１２に、移動体本体４２１のリップ４２４が基体４１のウェブ４１１に対向し、これにより、移動体４２は、上下方向の移動が基体４１によってガイドされる。つまり、基体４１は、移動体４２の移動をガイドするガイド部を構成する。
【００２１】
基体４１のフランジ４１２の各々には、挿通孔４１４が形成されている。また、移動体４２のフランジ４２３の各々には、移動体４２の長さ方向に並ぶ複数のねじ孔４２５が形成されている。なお、このねじ孔４２５は、各フランジ４２３の肉厚内に雌ねじを形成してもよいし、フランジ４２３に貫通孔を形成すると共にその貫通孔に対応するようにフランジ４２３の内面側にナットを固着してもよい。基体４１の挿通孔４１４にねじ具４５を挿通し、このねじ具４５を移動体４２のねじ孔４２５に螺合することで、基体４１に対して移動体４２を固定することができる。
【００２２】
移動体本体４２１の上端部には取付部４３が取り付けられている。取付部４３は、釣り竿受け１が取り付け可能に構成されている。取付部４３は、移動体本体４２１に対し、上下軸（鉛直軸）回りに回転可能に取り付けられている。取付部４３は、平面視矩形状の底板部４３１と、底板部４３１の幅方向の両端から立ち上げられた立上部４３２とを有しており、上下軸としてのボルト４３３を介して、移動体本体４２１の天板４２６に取り付けられる。釣り竿受け１は、取付部４３に、例えばねじ止めにより固定される。
【００２３】
基体４１の下端部には挟持部材５が取り付けられる。挟持部材５は、固定部６と、基台部７と、連結部９と、可動部８とを備えている。挟持部材５は、基体４１に対し、図３Ａに示す第１の姿勢と、図３Ｂに示す第２の姿勢とに変更できるように構成されている。以下においては、第１の姿勢での挟持部材５について主に説明し、必要に応じて第２の姿勢における挟持部材５の説明を加える。
【００２４】
図３Ａに示すように、固定部６は、第１の姿勢において、上下方向に延びている。固定部６は、平板部６１と、平板部６１の幅方向の両側から立ち上げられた一対の起立片６２とを備えている。平板部６１には、ねじ止めのためのねじ部６３が複数箇所に形成されており、平板部６１が基体４１にねじ止めされると、挟持部材５が第１の姿勢で基体４１に取り付けられる。また、各起立片６２の先端には、複数の山形状突部６４が形成されている。
【００２５】
基台部７は、可動部８を支持する部分である。基台部７は、固定部６に対して、間隔をおいて対向する。基台部７の長さ方向は、固定部６の長さ方向に平行である。基台部７は、雌ねじ部７１を有している。雌ねじ部７１には、可動部８としてのねじ込みボルト８１がねじ込まれている。
【００２６】
可動部８は、固定部６に対して、近付く方向および離れる方向に平行な方向（以下、接離方向）に移動可能に構成される。可動部８は、上述した通り、ねじ込みボルト８１により構成されている。可動部８は、固定部６との間で、設置部２を挟むことができるように構成されている。
【００２７】
ねじ込みボルト８１は、長さ方向の端部のうち、固定部６側とは反対側の端部に操作用の摘み部８１１が形成されている。また、ねじ込みボルト８１は、長さ方向の端部のうち、固定部６側の端部に滑り止め部８１２が形成されている。滑り止め部８１２には複数の突起８１３が形成されており、ねじ込みボルト８１をねじ込んで、固定部６との間で設置部２を挟持すると、突起８１３が設置部２に食い込む。
【００２８】
連結部９は、固定部６と基台部７とを連結する。本実施形態の連結部９は、固定部６の端部から基台部７側に延出する第一連結部９１と、基台部７の端部から固定部６側に延出する第二連結部９２とを有している。連結部９は、第一連結部９１の一部と第二連結部９２の一部とが重なり合った状態で接続されている。連結部９は、第一連結部９１と第二連結部９２との重なり代を変えることで伸縮可能に構成されている。これにより、連結部９は、固定部６に対して、基台部７を接離方向に位置変更可能とするように構成されている。なお、本実施形態の第一連結部９１と第二連結部９２とは、複数箇所をねじ止めすることで接続される。
【００２９】
このような構成の挟持部材５は、基体４１に固定部６が接続された第１の姿勢と、基体４１に連結部９が固定された第２の姿勢とに、選択的に取り付け可能に構成されている。第１の姿勢は、図３Ａに示すように、可動部８の接離方向が上下方向に直交した平面（本実施形態では水平面）上に位置する姿勢である。また、第２の姿勢は、可動部８の接離方向が上下方向となる姿勢である。
【００３０】
以上のような構成の釣竿受用固定具３は、例えば、次のようにして使用される。ユーザーは、筏などの設置部２に、本実施形態の釣竿受用固定具３を取り付ける。設置部２が、例えば上方に突出し所定幅の枕木を有する場合、ユーザーは、挟持部材５を第１の姿勢にした状態で基体４１に取り付ける。
【００３１】
次いで、ユーザーは、固定部６とねじ込みボルト８１との間に設置部２を挿通し、この状態でねじ込みボルト８１をねじ込む。これにより、固定部６とねじ込みボルト８１とで設置部２を挟持する。
【００３２】
次いで、ユーザーは、固定された釣竿受用固定具３の取付部４３に、釣り竿受け１を装着する。このとき、ユーザーは、基体４１に対して、移動体４２を移動させ、高さ調整を行うことができる。また、取付部４３は、挟持部材５に対して上下軸（鉛直軸）回りに回転可能であるため、ユーザーは、釣り竿受け１の水平方向の向きを自由に変更することができる。
【００３３】
なお、本実施形態の移動体４２には、図１に示すように、複数の引掛け孔４４が設けられる。引掛け孔４４は、移動体４２の角部に設けられる。この引掛け孔４４には、釣り竿１１に接続された尻手ロープのフックが引掛けられる。これにより、仮に釣り竿１１が釣り竿受け１から外れてしまっても、釣り竿１１が釣り池等に没入するのを防ぐことができる。
【００３４】
一方、設置部２が、例えば枕木を有さない場合、図４Ｂに示すように、ユーザーは、挟持部材５を第２の姿勢とした状態で、基体４１に取り付ける。この後、上述したように、固定部６とねじ込みボルト８１との間に設置部２を挿通し、この状態でねじ込みボルト８１をねじ込んで、設置部２を挟持する。そして、釣り竿受け１を設置する。
【００３５】
なお、上述のように、釣竿受用固定具３を設置部２に取り付けた後で、釣り竿受け１を取り付けてもよいし、釣竿受用固定具３に釣り竿受け１を取り付けた状態で、釣竿受用固定具３を設置部２に取り付けてもよい。
【００３６】
以上説明したように、本実施形態の釣竿受用固定具３は、釣り竿受け１を設置部２に固定するための釣竿受用固定具３である。釣竿受用固定具３は、上端部に釣り竿受け１が取り付けられる取付部材４と、取付部材４の下端部に取り付けられた挟持部材５とを備える。挟持部材５は、固定部６と、固定部６に対して接離方向に移動可能な可動部８とを有すると共に、固定部６と可動部８とで設置部２を挟持可能に構成される。挟持部材５は、取付部材４に対し、接離方向が上下方向に直交した平面上に位置する第１の姿勢と、接離方向が上下方向となる第２の姿勢とに変更可能に構成される。この構成によれば、設置部２の形状に合わせて、挟持部材５を第１の姿勢と第２の姿勢とのいずれかに変更することができる。また、設置部２を挟持することで釣竿受用固定具３を取り付けることができるので、設置部２に対して釣竿受用固定具３を強固に取り付けることができる。
【００３７】
また、本実施形態の釣竿受用固定具３は、次の付加的な構成を備える。すなわち、本実施形態の取付部材４は、挟持部材５が取り付けられる基体４１と、移動体４２とを備える。移動体４２は、上端部に釣り竿受け１が取り付けられるように構成され、基体４１に対して上下方向にスライド移動可能に構成される。この構成によれば、釣り竿受け１の高さ位置をユーザーの好みに応じて変更することができる。
【００３８】
また、本実施形態の釣竿受用固定具３は、次の付加的な構成を備える。すなわち、本実施形態の挟持部材５は、固定部６に間隔をおいて対向する基台部７と、基台部７に螺合されて固定部６に対して接離方向に移動可能に構成されたねじ込みボルト８１（可動部８）と、固定部６と基台部７とを連結する連結部９とを有する。連結部９は、基台部７を接離方向に位置変更可能とするように構成されている。この構成によれば、固定部６と基台部７との間の寸法を調整することができ、より多くの設置部２の形状に対応して釣竿受用固定具３を取り付けることができる。
【００３９】
また、本実施形態の釣竿受用固定具３は、次の付加的な構成を備える。すなわち、本実施形態の取付部材４は、釣り竿受け１が取り付けられる部分が、挟持部材５に対して上下軸回りに回転可能に構成されている。この構成によれば、ユーザーは、釣り竿受け１の水平方向の向きを容易に変更することができる。
【００４０】
なお、本実施形態の取付部４３は、移動体本体４２１に対して回転可能に取り付けられたが、本発明の取付部４３は、回転可能でなくてもよく、移動体本体４２１と一体に形成されてもよい。
【００４１】
また、本実施形態の取付部材４は、基体４１と移動体４２とで伸縮可能に構成されたが、例えば、伸縮できないように１つの部材で形成されてもよい。
【００４２】
また、本実施形態の可動部は、１つのねじ込みボルトにより構成されたが、例えば、複数のねじ込みボルトにより構成されてもよい。複数のねじ込みボルトにより可動部が構成されることで、より一層強固に、釣竿受用固定具３を設置部２に固定することができる。
【００４３】
また、可動部８はねじ込みボルト８１でなくてもよく、例えば、挟持部材５は、ロッキングプライヤやバイス（万力）のような構造により構成されてもよい。
【符号の説明】
【００４４】
１      釣り竿受け
２      設置部
３      釣竿受用固定具
４      取付部材
４１    基体
４２    移動体
４３    取付部
５      挟持部材
６      固定部
７      基台部
８      可動部
８１    ねじ込みボルト
９      連結部
【図１】
2017184658.tif 000003
【図２】
2017184658.tif 000004
【図３】
2017184658.tif 000005
【図４】
2017184658.tif 000006